(57)【特許請求の範囲】
【請求項１】
半径方向の内端面（４）と半径方向の外端面（３）を形成するため円周方向に重なり合うように配置された端面（３、４）を有する張力ストラップ（２）と、
前記半径方向の内端面（４）に接続される筐体（６）と、
前記半径方向の外端面（３）上のネジ山要素（８）と噛み合う前記筐体（６）上に配置された締め付けネジ（７）と、
前記半径方向の内端面（４）は円周方向に前記筐体（６）から飛び出すように配置され、ブリッジ（１２）を含み、
前記ブリッジ（１２）に囲まれた弱化領域（１４）と、
を備えていることを特徴とするウォームネジ山クランプ（１）。
【請求項２】
前記弱化領域（１４）は断面積の減少を備えていることを特徴とする請求項１に記載のウォームネジ山クランプ。
【請求項３】
前記弱化領域（１４）は開口を備えていることを特徴とする請求項１または２に記載のウォームネジ山クランプ。
【請求項４】
前記弱化領域（１４）は前記ブリッジの端（１６、１７）と本質的に平行に配置されている境界（１５）によって制限されることを特徴とする請求項１から３のいずれか１項に記載のウォームネジ山クランプ。
【請求項５】
前記ブリッジ（１２）は、張力ストラップ（２）の長さ方向に関して少なくとも１つの角が削がれた横側面（１６、１７）を備えていることを特徴とする請求項１から４のいずれか１項に記載のウォームネジ山クランプ。
【請求項６】
前記ブリッジ（１２）は、前記半径方向の外端面（３）の軸端領域（２１）を支える、前記横側面（１６、１７）よって形成された頂点（１８）を備えていることを特徴とする請求項５に記載のウォームネジ山クランプ。
【請求項７】
前記半径方向の外端面（３）は、前記軸端領域（２１）の近くに挿入突起（１９）を含み、前記頂点（１８）は前記軸端領域（２１）上に配置されていることを特徴とする請求項６に記載のウォームネジ山クランプ。
【請求項８】
前記ブリッジ（１２）は、少なくとも半径方向の内面に配置された横の溝（２０）を備えていることを特徴とする請求項１から７のいずれか１項に記載のウォームネジ山クランプ。
【請求項９】
前記横の溝（２０）は、少なくとも前記弱化領域（１４）の部分を自由のままにすることを特徴とする請求項８に記載のウォームネジ山クランプ。
【請求項１０】
張力ストラップ（２）の端（４）でブリッジ（１２）を形成すること、
前記ブリッジ（１２）の中に弱化領域（１４）を形成すること、
前記ブリッジ（１２）が筐体（６）から飛び出すように前記筐体（６）を前記張力ストラップ（２）に連結すること、
前記ブリッジ（１２）と重なり合うように前記ブリッジの反対に前記張力ストラップの端（３）を配置し、少なくとも前記ブリッジ（１２）の一部分が前記張力ストラップ（２）の表面上を滑らかに動くこと、
を含むことを特徴とするウォームネジ山クランプ（１）を作成する方法。
【請求項１１】
前記ブリッジ（１２）は、前記張力ストラップ（２）の長さ方向に関して角が削がれた少なくとも１つの表面（１６、１７）を備えていることを特徴とする請求項１０に記載の方法。
【請求項１２】
前記角が削がれた少なくとも１つの表面（１６、１７）は、前記ブリッジ（１２）の端で頂点（１８）を形成し、該頂点（１８）は前記張力ストラップ（２）の表面上を滑らかに動く前記ブリッジ（１２）の少なくとも一部を形成することを特徴とする請求項１１に記載の方法。
【請求項１３】
前記ブリッジ（１２）の少なくとも一部が滑らかに動く表面の反対側の前記張力ストラップ（２）の表面上にネジ山（８）を形成することをさらに含むことを特徴とする請求項１０から１２のいずれか１項に記載の方法。
【請求項１４】
前記張力ストラップ（２）の表面上を滑らかに動く前記ブリッジ（１２）の少なくとも一部が前記ネジ山（８）の軸方向外側の領域（２１）に置かれていることを特徴とする請求項１３に記載の方法。
【請求項１５】
前記ブリッジ（１２）の一部に横の溝（２０）を形成することをさらに含むことを特徴とする請求項１０から１４のいずれか１項に記載の方法。
【請求項１６】
前記横の溝（２０）は前記弱化領域（１４）を通して広がっていることを特徴とする請求項１５に記載の方法。
【請求項１７】
内端（４）と外端（３）を形成するため円周方向に重なり合う第１の端と第２の端を有する張力ストラップ（２）と、
前記内端（４）に接続される筐体（６）と、
を備え、前記内端（４）は囲まれた弱化領域（１４）を有しているブリッジ（１２）を含んでいることを特徴とするウォームネジ山クランプ（１）。
【請求項１８】
前記張力ストラップ（２）は表面上に形成されたネジ山（８）を含んでいることを特徴とする請求項１７に記載のウォームネジ山クランプ。
【請求項１９】
前記ブリッジ（１２）は、前記張力ストラップ（２）の長さ方向に関して角が削がれた少なくとも１つ端（１６、１７）を含み、該端（１６、１７）は、前記ネジ山（８）の反対側で前記張力ストラップ（２）の表面上を滑らかに動くように構成され及び配置された頂点（１８）を形成することを特徴とする請求項１７または１８に記載のウォームネジ山クランプ。
【請求項２０】
前記頂点（１８）は、前記ネジ山（８）の軸方向外側の範囲（２１）中で前記ネジ山（８）の反対側で前記張力ストラップ（２）の表面に接触して配置されることを特徴とする請求項１９に記載のウォームネジ山クランプ。
【発明の詳細な説明】
【技術分野】
【０００１】
本発明は、張力ストラップを有するウォームネジ山クランプに関し、ウォームネジ山クランプは、円周方向にお互いに重なり合っている端面と、半径方向の内端面に接続された筐体と、筐体の中に配置された締めネジとを有している。ネジは半径方向の外端面上でネジ山要素とかみ合い、半径方向の内端面は円周方向にブリッジで筐体から飛び出す。
【背景技術】
【０００２】
このタイプのウォームネジ山クランプは知られている（例えば特許文献１）。
【０００３】
ウォームネジ山クランプの筐体は、張力ストラップの半径内側で張力ストラップとの接触が終わるべきであり、その結果ウォームネジ山クランプの助けで取り付けられる要素、例えばホースは完全な円筒方向にできる限り一様に、圧力で装着される。ここで筐体は、しばしば半径方向の内端面の半径内側に配置されている保持リブを有している。ブリッジ、つまり半径方向の内端面の部分は、半径方向の内端面の端で筐体を突き抜けるまたは筐体を飛び出す。このブリッジは、筐体と締めネジを有している締め付けヘッドのため、カウンタベアリングとして働く。ブリッジは筐体から一定の距離で終わり、できるだけホースに対するダメージを避けるため、張力ストラップの内部の肩はできるだけ柔らかである。しかしながら、これはブリッジと張力ストラップの半径方向の外端面が相手側の頂点に位置する場所で張力ストラップの材料の二重化という結果になる。曲げ剛性従ってホースでの張力ストラップの成形動作も材料の二重化の影響を被る。この配置は、ホースと支持体の間、特により小さな公称直径に関して、ホースクランプを確実にする接続の締め付けに関して、負の影響を持つ。極端な場合、ブリッジはホース上で張力ストラップの成形でさえ妨げる。この事象では、ウォームネジ山クランプが締め付けのために必要な直径に達する前に突っかかり、接続システムの失敗の結果となる。トルクがウォームネジ山クランプの締め付けの間増加するが、ウォームネジ山クランプはホースの回転を妨げないため、この失敗は操作者に負傷の危険の増大を導く。完全な勢いは操作者によるウォームネジ山クランプの保持によって吸収されなければならない。
【０００４】
横の助材によって断面内のブリッジの曲げ剛性を減少させることは知られている。しかしながら、横の助材をもった形態では工具摩耗は比較的大きい。さらに、締め付けストラップの材料の硬さがここでは主な役割を演じている。
【先行技術文献】
【特許文献】
【０００５】
【特許文献１】独国特許１９６３３４３５号
【発明の概要】
【発明が解決しようとする課題】
【０００６】
従って、低費用で良い加工可能性を有しているウォームネジ山クランプが提供される。
【課題を解決するための手段】
【０００７】
本発明の実施形態によれば、最初に言及されるタイプのウォームネジ山クランプは、囲まれた弱化領域を有しているブリッジを含んでいる。
【０００８】
ブリッジの曲げ剛性は、弱化領域を通して減少される。しかしながら、弱化領域は任意の点でブリッジの端まで広がっていない。そのため、ブリッジの外面形状は、弱化領域がないブリッジに比べて変化しないままである。従って、ウォームネジ山クランプの製造または取り扱いに負の影響を持つ干渉端または似たようなものが存在しないことを確かにすることが可能である。アイドルトルクは非常に低く保たれ、とりわけウォームネジ山クランプの最も小さい直径まで一定のレベルに保たれる。これはウォームネジ山クランプの締め付け力に正の影響を持つ。トルク分散も最小に減少される。クランプの組み立ての容易さが増加し、操作者に対する負傷の危険性が減少する。
【０００９】
弱化領域は断面の減少のように実装または形成されることも好ましい。従って、ブリッジは、弱化領域の中でより少ない材料を持ち、変形に対する抵抗に対抗することができる。
【００１０】
弱化領域は開口ように実装または形成されることも効果がある。従って、ブリッジの材料は開口の中で欠けている。その結果、この材料はブリッジの変形に対する抵抗にもはや対抗できない。しかしながら、開口は円周方向に完全に囲まれており、締め付けストラップの端で開いていない。その結果、開口を有するブリッジは、原理上ウォームネジ山クランプを従来のブリッジのように取り扱うことができる。
【００１１】
弱化領域はブリッジの外面形状と平行に走っている境界によって制限されることも好ましい。従ってこのブリッジは、円周の端でほぼ一定の厚さのウェブを有している。言葉「平行」はここでは数学的厳密な意味と理解すべきでない。平行からの小さな逸脱は許される。弱化領域は原理上ブリッジの形状の縮小した形状を有している。従って、ブリッジの変形の動作は容易に制御することができる。
【００１２】
ブリッジは円周方向に角が削がれた少なくとも１つの横側面を持つことも好ましい。曲げ剛性はこれによっても減少する。ブリッジは筐体から離れていく方向の端である自由端に向かってより狭くなっており、その結果、曲げ剛性は自由端に向かって減少する。弱化領域との接続において、そのような小さな変形抵抗がここで実現され、アイドルトルクが締め付けネジの完全な締め付けまで本質的に同じに保たれる。
【００１３】
ブリッジは半径方向の外端面の軸端領域を内部から支える点を有することも好ましい。半径方向の外端面へのネジ山要素の挿入で、好ましい環境下で変形は、半径方向の外端面の半径内側にも生じ、半径方向の外端面に関してブリッジの自由端の移動を妨げる。しかしながら、ネジ山要素は張力ストラップの軸中心に位置される。軸端領域はネジ山要素から自由のままである。もし、ブリッジの点がこの自由でなめらかな端領域を支えるならば、ネジ山要素はブリッジの自由端の前進、ウォームネジ山クランプの締め付けを妨げない。
【００１４】
点は半径方向の外端面が挿入突起を有している軸端領域に配置されることも好ましい。ブリッジの点は、締め付けヘッドの中の張力ストラップの半径方向の外端面のネジ山として追加的に使用される。挿入突起はブリッジのこの点、続いてブリッジ自身を通して導かれる。
【００１５】
ブリッジは、少なくともその半径方向の内部に横の溝を有していることが好ましい。横の溝もブリッジの曲げ剛性を減少される。特に、弱化領域が開口の実施形態において、より少ない材料が横の溝を生産するために変形され、工具摩耗が低くなる。
【００１６】
横の溝は少なくとも弱化領域の部分で自由のままであることも好ましい。これは、特に弱化領域が三角形に実装されまたは形成されているとき効果がある。この場合、弱化領域を通しての曲げ弾性の減少が十分になり、その結果追加の横の溝が不要となる。
【００１７】
さらに、本発明の実施形態は、半径方向の内端面及び半径方向の外端面を形成するため円周方向に重なり合うように配置されている端面を有している張力ストラップ、半径方向の内端面に接続された筐体、及び半径方向の外端面上で締め付け要素と噛み合う筐体の中に配置された締めネジを含んでいるウォームネジ山クランプを導く。半径方向の内端面は円周方向に筐体から飛び出すように配置され、ブリッジを含み、弱化領域はブリッジに囲まれている。
【００１８】
本発明の見地によれば、弱化領域は断面の減少を含むことができる。
【００１９】
本発明の別の見地によれば、弱化領域は開口を含むことができる。
【００２０】
本発明のさらなる別の見地によれば、弱化領域はブリッジの端と本質的に平行に配置されている境界によって制限される。
【００２１】
本発明の別の見地によれば、円周方向に角が削がれた少なくとも１つの横側面を持つ。
【００２２】
さらに、ブリッジは半径方向の外端面の軸端領域を支えるために配置されている点を有する。さらに、半径方向の外端面は軸端領域の近くに挿入突起を有することもでき、点は軸端領域に配置されている。
【００２３】
本発明の見地によれば、ブリッジは少なくとも半径方向の内部表面に配置されている横の溝を有している。横の溝は少なくとも弱化領域の部分で自由のままであることができる。
【００２４】
本発明の実施形態はウォームネジ山クランプを形成する方法を導く。この方法は、張力ストラップの端でブリッジを形成し、ブリッジの中に弱化領域を形成し、ブリッジが筐体から飛び出すように張力ストラップに筐体を連結させ、ブリッジと重なり合うようにブリッジの反対に張力ストラップの端に配置することを含む。このようにして、ブリッジの少なくとも一部分が張力ストラップの表面上で滑らかに動く。
【００２５】
本発明の見地によれば、張力ストラップの長さ方向に関して、少なくとも１つの角が削がれた表面を含む。少なくとも１つの角が削がれた表面はブリッジの端で点を構成することもでき、点は少なくとも張力ストラップの表面上で滑らかに動くブリッジの一部分を形成する。
【００２６】
本発明のさらなる見地によれば、この方法は、ブリッジの少なくとも一部分が滑らかに動く表面と反対の張力ストラップの表面上にネジ山を形成することも含む。張力ストラップの表面上で滑らかに動くブリッジの少なくとも一部分は、ネジ山の軸線外の領域に置かれる。
【００２７】
この方法はブリッジの一部分に横の溝を形成することも含む。横の溝は弱化領域を通して広がっていく。
【００２８】
本発明の実施形態は、内端と外端を形成するため円周方向に重なり合っている第１と第２の端を有している張力ストラップと、内端に接続されている筐体と、囲まれている弱化領域を有しているブリッジを含む内端と、を含んでいるウォームネジ山クランプを導く。
【００２９】
本発明の他の見地によれば、張力ストラップは表面上に形成されたネジ山を含んでいる。さらに、ブリッジは張力ストラップの長さ方向に関して、少なくとも１つの角が削がれた端を含み、その面はネジ山と反対の張力ストラップの表面上で滑らかに動くように構成され、配置されている点を形成する。点はネジ山の軸線外の領域にネジ山と反対の張力ストラップの表面に接触するように配置されている。
【００３０】
実施形態の他の例及び本発明の他の効果は、本開示の概説及び添付の図面によって解明される。
【００３１】
本発明は、複数の図面を参照して、例示的実施形態の非制限例の方法によって、以下の詳細な記載によって記載され、同じ参照番号は、図面のいくつかの表示で同じ部分を表している。
【図面の簡単な説明】
【００３２】
【図１】本発明の実施形態によるウォームネジ山クランプの斜視図を示す。
【図２】図１で記載されたセクションIIをより詳細に示す。
【図３】本発明の実施形態による巻かれていないウォームネジ山クランプを示す。
【発明を実施するための形態】
【００３３】
ここで示される詳細は例により、本発明の実施形態の実例となる議論の目的のみのためにあり、最も有用であると信じられるものを提供する理由で表されており、本発明の原理及び概念を実際に理解してもらうため表されている。この件に関して、必要以上に詳細に本発明の構造を示す意図はなく、図を伴った記載は、当業者に対してどのように本発明のいくつかの形状が実際に実装されまたは形成されることを明らかにさせる。
【００３４】
ウォームネジ山クランプ１は、２つの端面３及び４を有する張力ストラップ２を有する。２つの端面３及び４は重なり合うように配置され、その結果半径方向の外端面３と半径方向の内端面４になる。張力ストラップ２は近似的に円状にカーブしており、原理的に円筒が形成される。従って、以下の方向データ、軸方向、半径方向、及び円周方向は参照される円筒に関係する。
【００３５】
締め付けヘッド５は、半径方向の内端面４に接続される筐体６と締め付けネジ７を有している。締め付けネジ７は恒久的に筐体６に支えられ、張力ストラップ２の円周方向表面上でネジ山要素８と噛み合う。この端で、半径方向の外端面３が半径方向の内端面４と締め付けネジ７の間に導かれる。締め付けネジ７の回転によって、半径方向の外端面３が動き、ウォームネジ山クランプ１の張力ストラップ２の内径が変化する。
【００３６】
特に図２から見て取れるように、半径方向の内端面４は近似的にＵ字型の断面をもった形状９を形成し、筐体６のウェブ（ｗｅｂ）１０は、ウェブ１０の半径方向の内側が半径方向の内端面４の半径方向の内部で近似的に平坦に組み込まれるように配置される。
【００３７】
半径方向の内端面４は、ウェブ１０を超えて、その自由端１１に向かって飛び出し、いわゆるブリッジ（ｂｒｉｄｇｅ）１２を形成する。形状９は締め付けヘッド５を支えるためのカウンタベアリングの役目を果たす。
【００３８】
ブリッジ１２は、締め付けの間半径方向の外端面３の半径方向内部１３を支える。張力ストラップ２の材料の二重化はブリッジ１２が設置されるという結果になる。
【００３９】
ホースが支持体に取り付けられたとき材料の二重化に関わらず、ホースに対して、張力ストラップ２の十分満足できる形状を与えるため、ブリッジ１２は全ての側が囲まれた開口の形の弱化領域１４を有している。弱化領域１４を有していないブリッジと比較して、ブリッジ１２の外面形状は一般的に形を変えない。従って、本発明によるウォームネジ山クランプ１の扱いは、異なったブリッジの実施形態を持つこれまでに知られたウォームネジ山クランプと本質的に同じである。
【００４０】
ブリッジの本質的に減少した曲げ弾性は、開口のような弱化領域１４を有するブリッジ１２の実施形態からの結果である。その結果締め付けネジ７の締め付けの間、従ってウォームネジ山クランプ１の締め付けの間、ブリッジ１２は比較的小さなアイドルトルクを有し、このアイドルトルクは、ウォームネジ山クランプ１の最小の口径まで一定のレベルで保たれる。これは、ウォームネジ山クランプ１の締め付け力に正の影響を与える。アイドルトルクの分散も最小に減少させる。実際の締め付け力の生成まで、より小さな力がウォームネジ山クランプを締め付けるために必要であるため、ウォームネジ山クランプ１の加工可能性が増加する。
【００４１】
弱化領域１４は近似的にブリッジ１２の外面形状と平行に走っている境界１５によって制限される。つまり、弱化領域１４はブリッジ１２を縮小させたイメージである。
【００４２】
本例示的な実施形態では、図２から見ることができるように、ブリッジ１２は近似的に三角形で実装されまたは構成されている。点は実施例に示されているように丸まっているかもしれないが、自由端１１は点または頂点を形成する。弱化領域１４も、近似的に三角形で実装されまたは構成されている。実施形態に示されているように、ブリッジ１２は、ブリッジ１２の両側の角が削がれるように、張力ストラップ２の円周方向に関してある角度で形成された２つの横側面１６及び１７を有している。
【００４３】
ウォームネジ山クランプ１の締め付けの間、自由端１１、つまりこの点は、半径方向の外端面３の半径方向内部１３を支える。しかしながら、図１と図２の例示の実施形態の場合のように、半径方向内部１３が滑らかに動くように実装されるまたは形成されている限り、この配置は問題がない。
【００４４】
図３は、修正された実施形態を示しており、お互いに対応する同じ要素は同じ参照番号で提供されている。ウォームネジ山クランプ１は、半径方向の外端面３が筐体６から引き抜かれた状態、つまり張力ストラップ２が巻かれていなくて平らの状態を示す。
【００４５】
この例示的実施形態の中で、ブリッジ１２は、角が削がれた１つの横側面１６のみを含んでいる。横側面１６は、ネジ山要素８の軸方向外側の領域の内部から半径方向の外端面３を支えている点１８を形成する。点１８はネジ山要素８の軸方向外側の範囲内に半径方向の外端面３を支えるように配置されているため、半径方向の外端面３の内側にある突起、例えばネジ山要素８のスタンピングによる突起は、半径方向の外端面３上でのブリッジ１２のなめらかな動きを妨げない。
【００４６】
さらに、半径方向の外端面３は点１８と同じ軸方向の端に配置されているネジ切り突起１９を有している。従って、半径方向の外端面３が筐体６の中に挿入されるとき、ネジ切り突起１９はブリッジ１２での可能な最も大きい長さを超えて導かれる。
【００４７】
ブリッジ１２は、図１及び図２から見て取れるように、その半径方向内部上に横の溝２０が提供される。しかしながら、横の溝２０はブリッジ１２が完全な幅に達していない場所に制限されている。横の溝２０は弱化領域１４の一部のみを被覆することができ、また弱化領域１４を完全に自由のままにすることもできる。少量の材料のみが変形される必要があるので、工具摩耗は横の溝２０の生産において制限される。
【００４８】
説明の目的のためのみに提供された前述の例は本発明の制限として構成されない。本発明が例示的な実施形態を参照して記載されている間、ここで使用されている言葉は、言葉の制限ではなく、記載及び説明のための言葉である。添付された請求項の範囲内で、本発明の範囲及び精神から逸脱することなく、変形がここで述べたように可能である。本発明は、特定の方法、材料及び実施形態に従って、ここで記載されたが、本発明はここで開示された特別なものに制限されない。むしろ本発明は、添付された請求項の範囲内で、機能的に同等な構造、方法及び使用に拡張される。
【符号の説明】
【００４９】
１  ウォームネジ山クランプ
２  張力ストラップ
３  半径方向の外端面
４  半径方向の内端面
５  締め付けヘッド
６  筐体
７  締め付けネジ
８  ネジ山要素
９  形状
１０  ウェブ
１１  自由端
１２  ブリッジ
１３  半径方向内部
１４  弱化領域
１５  境界
１６、１７  横側面
１８  点
１９  ネジ切り突起
２０  横の溝
【図１】
0005040896.tif 000002
【図２】
0005040896.tif 000003
【図３】
0005040896.tif 000004